(57)【要約】      （修正有）【課題】操作部を使用頻度が高い湯水混合水栓の正面位置で可動弁体の開閉操作を行った際に、可動弁体が固定弁体に対して回転することなく移動することができると共に、可動弁体が閉弁状態にあるときには、操作部の回動操作にかかわらず可動弁体の回転しない湯水混合バルブ装置を提供する。【解決手段】湯水混合バルブ装置１は、ケーシング１４と、固定弁体１２と、可動弁体１０と、操作部と、を有し、可動弁体は、閉弁位置Ｐ４にある状態で操作部を可動弁体の摺動面に平行な面上の操作領域内で回動操作しても固定弁体に対して摺動面内で回転せず、且つ、操作部を湯水混合水栓の正面位置で可動弁体の開閉操作を行った場合には、ケーシングの中心軸線Ａ２上に沿って閉弁位置Ｐ４と開弁位置Ｐ５との間を摺動面内で回転することなく移動し、吐水口から水のみが吐水される。【選択図】図５
2014177837.tif 000002
【特許請求の範囲】
【請求項１】
湯水混合水栓に組み込まれ、給湯源から供給される湯と給水源から供給される水とを混合した湯水を吐止水する湯水混合バルブ装置であって、
湯水混合水栓の吐水口の上流側に設けられたケーシングと、
このケーシング内に固定され、給湯源から供給された湯が流入する通湯路及び給水源から供給された水が通過する通水路が形成された固定弁体と、
上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、
一端部が上記可動弁体に取り付けられ、上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、
上記可動弁体は、上記閉弁位置にある状態で上記操作部を上記可動弁体の摺動面に平行な面上の操作領域内で回動操作しても上記固定弁体に対して上記摺動面内で回転せず、且つ、上記操作部を上記湯水混合水栓の正面位置で上記可動弁体の開閉操作を行った場合には、上記ケーシングの中心軸線上に沿って上記閉弁位置と上記開弁位置との間を上記摺動面内で回転することなく移動し、上記吐水口から水のみが吐水されることを特徴とする湯水混合バルブ装置。
【請求項２】
上記固定弁体の通水路は、その一部が上記ケーシングの中心軸線上に位置し、この中心軸線に対して一方の領域から他方の領域に亘って形成されている請求項１記載の湯水混合バルブ装置。
【請求項３】
更に、上記ケーシングと上記可動弁体との間に設けられて上記可動弁体の移動をガイドするガイド手段を有し、このガイド手段によってガイドされる上記可動弁体のガイド方向は、上記ケーシングの中心軸線が延びる方向と同一の方向に設定されている請求項１又は２に記載の湯水混合バルブ装置。
【請求項４】
上記ガイド手段は、上記ケーシングから内方に突出するように形成された突起部と、上記可動弁体に設けられて上記突起部が挿入可能なガイド溝を形成するバルブガイド部と、を備えている請求項３記載の湯水混合バルブ装置。
【請求項５】
上記操作部の一端部は、ほぼ半球形状に形成され、上記可動弁体のバルブガイド部は、上記操作部の一端部が挿入して取り付けられる取付部を備え、この取付部の取付断面は、上記可動弁体が閉弁した状態では、上記操作部を回動操作すると上記操作部が上記取付部に対して空回りし、上記可動弁体が開弁した状態では、上記操作部を回動操作すると上記可動弁体が上記固定弁体に対して回転を伴って移動するように、上記操作部の一端部のほぼ半球形状に対応してほぼ円形の断面形状に形成されている請求項１乃至４の何れか１項に記載の湯水混合バルブ装置。
【発明の詳細な説明】
【技術分野】
【０００１】
本発明は、湯水混合バルブ装置に係り、特に、湯水混合水栓に組み込まれ、給湯源から供給される湯と給水源から供給される水とを混合した湯水を吐止水する湯水混合バルブ装置に関する。
【背景技術】
【０００２】
従来から、湯水混合水栓に組み込まれ、給湯源から供給される湯と給水源から供給される水とを混合した湯水を吐止水する湯水混合バルブ装置として、例えば、特許文献１に記載されているように、シングルレバー式の湯水混合水栓の内部に設けられ、給湯源から供給される湯と給水源から供給される水をそれぞれ通過させる通湯路及び通水路が形成された固定弁体と、この固定弁体に対して摺動可能に取り付けられて湯水連通部を形成する可動弁体と、この可動弁体を移動させて開閉する操作レバーとを備え、操作レバーを使用頻度が高い湯水混合水栓の正面位置で吐水操作すると、固定弁体の通湯路を閉鎖した状態で通水路のみを開放し、水のみを吐水することができるようになっているものが知られている。
このような従来の湯水混合バルブ装置においては、可動弁体がケーシング内に設けられ、このケーシング内の可動弁体は、操作レバーに連結されている操作ロッドに接続されており、操作レバー及び操作ロッド（操作部）の上下方向の回動操作（可動弁体の開閉操作）に応じて可動弁体を固定弁体に対して摺動させることにより、吐止水を切り替える操作や吐水量を調節する操作を行うことができると共に、操作レバー及び操作ロッド（操作部）の左右方向の回動操作に応じて可動弁体を固定弁体に対して摺動させ、吐水の温度調節を行うことができるようになっている。
特に、このような湯水混合バルブ装置においては、操作レバーを使用頻度の高い湯水混合水栓の正面位置で水のみを吐水することができるようにするために、湯水混合バルブ装置のカートリッジ全体が湯水混合水栓に対して予め回転させた状態で取り付けられ、操作レバーを使用頻度の高い湯水混合水栓の正面位置で吐水操作すると、水のみ吐水するように構成されている。さらに、可動弁体が閉弁状態にあるときであっても、操作レバーを左右方向に回動操作すると、可動弁体に接続される操作ロッドの動きにより可動弁体が固定弁体の上面に沿って回転摺動するようになっている。
【先行技術文献】
【特許文献】
【０００３】
【特許文献１】特開２００８−８９０４６号公報
【発明の概要】
【発明が解決しようとする課題】
【０００４】
しかしながら、上述した従来の湯水混合バルブ装置においては、特に、操作レバーを使用頻度の高い正面位置で吐水操作して可動弁体を開閉させ、可動弁体が操作ロッドの動きにより固定弁体に対して回転しながら摺動する動作を繰り返すと、このような回転動作に伴って、可動弁体と接続する操作ロッドの接続部やこれらを収容するケーシング等が応力を繰り返し受けて摩耗し、破損する可能性があり、耐久性にも問題がある。
また、可動弁体が閉弁状態にあるときであっても、操作レバーを左右方向に回動操作すると、可動弁体が操作ロッドの動きにより固定弁体の上面に沿って回転摺動してしまうため、閉弁状態の可動弁体がシールする必要がある固定弁体の通湯路と通水路のそれぞれの周囲の領域（シール代）を大きく確保しなければならない。したがって、湯水混合バルブ装置を小型化するには、固定弁体の通湯路や通水路の流路を小さく設計して流量を抑えなければならず、十分な流量を確保できないという問題がある。或いは、可動弁体や固定弁体を通過する吐水の流量を確保するためにカートリッジの内部構造が大きくなり小型化することができないという問題がある。
さらに、可動弁体が閉弁状態にあるときに、操作レバーを左右方向に回動操作しても、可動弁体が操作ロッドの動きにより固定弁体の上面に沿って回転摺動しない湯水混合バルブ装置において、操作レバーを使用頻度の高い湯水混合水栓の正面位置で可動弁体の開閉操作を行った場合に水のみを吐水させるためには、予めカートリッジ全体を湯水混合水栓に対して傾けて取り付ける構造にすること等が単純に想定されるが、操作レバーを使用頻度の高い湯水混合水栓の正面位置で可動弁体の開閉操作を繰り返す度に、可動弁体が固定弁体に対して回転摺動するため、可動弁体と接続する操作ロッドの接続部やこれらを収容するケーシング等が応力を繰り返し受けて摩耗し、破損する可能性があり、耐久性にも問題がある。
【０００５】
そこで、本発明は、上述した従来技術の問題を解決するためになされたものであり、操作部を使用頻度が高い湯水混合水栓の正面位置で可動弁体の開閉操作を行った際に、可動弁体が固定弁体に対して回転することなく移動することができると共に、可動弁体が閉弁状態にあるときには、操作部の回動操作にかかわらず可動弁体が回転しない湯水混合バルブ装置を提供することを目的としている。
【課題を解決するための手段】
【０００６】
上記の目的を達成するために、本発明は、湯水混合水栓に組み込まれ、給湯源から供給される湯と給水源から供給される水とを混合した湯水を吐止水する湯水混合バルブ装置であって、湯水混合水栓の吐水口の上流側に設けられたケーシングと、このケーシング内に固定され、給湯源から供給された湯が流入する通湯路及び給水源から供給された水が通過する通水路が形成された固定弁体と、上記ケーシング内に配置されて上記固定弁体に対して摺動することにより上記固定弁体の通湯路及び通水路を開閉する可動弁体であって、上記通湯路及び上記通水路のそれぞれを通過した湯と水を連通させる湯水連通部が内部に形成された上記可動弁体と、一端部が上記可動弁体に取り付けられ、上記可動弁体を移動させて上記可動弁体の開閉操作を行い、吐水と止水を切り替える操作部であって、上記可動弁体の摺動面に対して垂直な面内で操作することで、上記可動弁体が上記固定弁体の通湯路及び通水路を閉鎖する所定の閉弁位置と上記通湯路及び／又は上記通水路を開放する所定の開弁位置との間で移動することにより、上記固定弁体の下流側の湯水の流量を調整すると共に、上記可動弁体が上記開弁位置にあるときに、上記操作部を上記可動弁体の摺動面に平行な面上の操作領域内で回動操作することにより、上記可動弁体の湯水連通部で混合される湯と水の割合を調整して上記湯水混合水栓の吐水口から吐水される湯水の温度調節を行う上記操作部と、を有し、上記可動弁体は、上記閉弁位置にある状態で上記操作部を上記可動弁体の摺動面に平行な面上の操作領域内で回動操作しても上記固定弁体に対して上記摺動面内で回転せず、且つ、上記操作部を上記湯水混合水栓の正面位置で上記可動弁体の開閉操作を行った場合には、上記ケーシングの中心軸線上に沿って上記閉弁位置と上記開弁位置との間を上記摺動面内で回転することなく移動し、上記吐水口から水のみが吐水されることを特徴としている。
このように構成された本発明においては、可動弁体が閉弁位置にある状態では、操作部を可動弁体の摺動面に平行な面上の操作領域内で回動操作しても、可動弁体が固定弁体に対して摺動面内で回転しないため、固定弁体の通湯路及び通水路の周囲をシールする必要がある領域を小さくすることができ、固定弁体の通湯路及び通水路をケーシング内に大きく設けることができる。したがって、湯水混合バルブ装置全体を小型化したとしても、吐水流量をより大きく確保することができる。また、操作部を使用頻度が高い湯水混合水栓の正面位置で可動弁体の開閉操作を行った場合には、可動弁体がケーシングの中心軸線上に沿って閉弁位置と開弁位置との間を摺動面内で回転することなく移動することができるため、可動弁体が取り付けられた操作部やケーシングについて、可動弁体の回転によって応力が与えられることにより耐久性が低下することを防ぐことができる。すなわち、操作部を使用頻度が高い湯水混合水栓の正面位置で可動弁体の開閉操作を繰り返して行ったとしても、可動弁体の回転によって操作部やケーシングに応力が繰り返し与えられて耐久性が低下することを防ぐことができる。
【０００７】
本発明において、好ましくは、上記固定弁体の通水路は、その一部が上記ケーシングの中心軸線上に位置し、この中心軸線に対して一方の領域から他方の領域に亘って形成されている。
このように構成された本発明においては、固定弁体の通水路の一部がケーシングの中心軸線上に位置し、この中心軸線に対して一方の領域から他方の領域に亘って形成されているため、操作部を使用頻度が高い湯水混合水栓の正面位置で可動弁体の開閉操作を行うことにより、固定弁体の通水路のみを開放し、湯水混合水栓の吐水口から簡単に水のみを吐水することができる。
【０００８】
本発明において、好ましくは、更に、上記ケーシングと上記可動弁体との間に設けられて上記可動弁体の移動をガイドするガイド手段を有し、このガイド手段によってガイドされる上記可動弁体のガイド方向は、上記ケーシングの中心軸線が延びる方向と同一の方向に設定されている。
このように構成された本発明においては、ガイド手段によってガイドされる可動弁体のガイド方向が、ケーシングの中心軸線が延びる方向と同一の方向に設定されているため、操作部を使用頻度が高い湯水混合水栓の正面位置で可動弁体の開閉操作を行った場合には、可動弁体をケーシングの中心軸線上に沿って閉弁位置と開弁位置との間を摺動面内で回転することなく移動させて開閉させることができる。したがって、操作部を使用頻度が高い湯水混合水栓の正面位置で可動弁体の開閉操作を繰り返して行ったとしても、可動弁体の回転によって操作部やケーシングに応力が繰り返し与えられて耐久性が低下することを防ぐことができる。
【０００９】
本発明において、好ましくは、上記ガイド手段は、上記ケーシングから内方に突出するように形成された突起部と、上記可動弁体に設けられて上記突起部が挿入可能なガイド溝を形成するバルブガイド部と、を備えている。
このように構成された本発明においては、ガイド手段の突起部及びバルブガイド部のガイド溝による簡単な構成により、可動弁体の移動をガイドすることができる。
【００１０】
本発明において、好ましくは、上記操作部の一端部は、ほぼ半球形状に形成され、上記可動弁体のバルブガイド部は、上記操作部の一端部が挿入して取り付けられる取付部を備え、この取付部の取付断面は、上記可動弁体が閉弁した状態では、上記操作部をその中心軸線回りに回転させると上記操作部が上記取付部に対して空回りし、上記可動弁体が開弁した状態では、上記操作部をその中心軸線回りに回転させると上記可動弁体が上記固定弁体に対して回転を伴って移動するように、上記操作部の一端部のほぼ半球形状に対応してほぼ円形の断面形状に形成されている。
このように構成された本発明においては、ほぼ半球形状に形成された操作部の一端部と、この一端部が挿入して取り付けられて可動弁体のバルブガイド部のほぼ円形の断面形状に形成された取付部の取付断面とにより、可動弁体が閉弁位置にある状態で、操作部をその中心軸線回りに回転させても、操作部が取付部に対して空回りするため、可動弁体が回転しない。したがって、可動弁体が閉弁位置にある状態で操作部を可動弁体の摺動面に平行な面上の操作領域内で回動操作しても、可動弁体が固定弁体に対して摺動面内で回転しない構造を容易に実現することができる。
【発明の効果】
【００１１】
本発明の湯水混合水栓装置によれば、操作部を使用頻度が高い湯水混合水栓の正面位置で可動弁体の開閉操作を行った際に、可動弁体が固定弁体に対して回転することなく移動することができると共に、可動弁体が開弁状態にあるときのみ、操作部の回動操作に伴って可動弁体を回転させることができる。
【図面の簡単な説明】
【００１２】
【図１】本発明の一実施形態による湯水混合バルブ装置が組み込まれた湯水混合水栓装置を斜め前方から見た概略斜視図である。
【図２】本発明の一実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図である。
【図３】本発明の一実施形態による湯水混合バルブ装置が組み込まれた湯水混合水栓装置を示す正面断面図である。
【図４】本発明の一実施形態による湯水混合バルブ装置を示す分解斜視図である。
【図５】本発明の一実施形態による湯水混合バルブ装置の下側ケーシング部材及び可動弁体ガイド部材において、操作ハンドル及び操作レバー部材を水側操作領域内の湯水混合操作領域側の操作位置（湯水混合水栓装置の正面位置）に設定して可動弁体を閉弁させた状態を示す平面図である。
【図６】本発明の一実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定して可動弁体を閉弁させた状態を示す平面図である。
【図７】本発明の一実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定して可動弁体を開弁させた状態を示す平面図である。
【図８】本発明の一実施形態による湯水混合バルブ装置の固定弁体及び可動弁体において、操作ハンドル及び操作レバー部材を水側操作領域内の最も水側の操作位置に設定し可動弁体を開弁させた状態を示す平面図である。
【図９】本発明の一実施形態による湯水混合バルブ装置の固定弁体及び可動弁体において、操作ハンドル及び操作レバー部材を湯側操作領域内の最も湯側の操作位置に設定して可動弁体を開弁させた状態を示す平面図である。
【発明を実施するための形態】
【００１３】
以下、添付図面を参照して本発明の一実施形態による湯水混合水栓装置について説明する。
まず、図１は、本発明の一実施形態による湯水混合バルブ装置が組み込まれた湯水混合水栓装置を斜め前方から見た概略斜視図である。
図１に示すように、本発明の一実施形態による湯水混合バルブ装置１が組み込まれた湯水混合水栓装置２は、給湯源（図示せず）から供給される湯と給水源（図示せず）から供給される水を混合し、１つの操作ハンドル４を操作することにより湯水の流量と温度を調整した湯水をスパウト６の吐水口６ａから吐止水することができる、いわゆる、シングルレバー式の湯水混合水栓装置である。
【００１４】
すなわち、湯水混合水栓装置２は、台所のシンク又は洗面台のカウンター８上に配置され、操作ハンドル４を上方（図１に示されている矢印「開」の方向）に回動操作した場合には、スパウト６の吐水口６ａから吐出される湯水を吐水状態に設定することができるようになっており、操作ハンドル４をより上方に回動させた位置に設定する程、スパウト６の吐水口６ａから吐出される湯水の流量を大きく設定することができるようになっている。
一方、操作ハンドル４を最も下方（図１に示されている矢印「閉」の方向）の位置に回動操作した場合には、スパウト６の吐水口６ａから吐出される湯水を止水状態に設定することができるようになっている。
【００１５】
また、操作ハンドル４を湯水混合水栓装置１の鉛直方向の中心軸線Ａ１を中心に図１の矢印「Ｃ」の水平方向（図１に示されている右側水平方向）に回動操作した場合には、スパウト６の吐水口６ａから吐出される湯水の温度を低温側に設定することができるようになっている。
一方、操作ハンドル４を中心軸線Ａ１を中心に図１の矢印「Ｈ」の水平方向（図１に示されている左側水平方向）に回動操作した場合には、スパウト６の吐水口６ａから吐出される湯水の温度を高温側に設定することができるようになっている。
【００１６】
つぎに、図２は、本発明の一実施形態による湯水混合バルブ装置が組み込まれた湯水混合水栓装置の概略平面図であり、湯のみを吐水させる湯側操作領域、水のみを吐水させる水側操作領域、及び混合湯水を吐水させる湯水混合操作領域を概略的に説明した図であり、図３は、本発明の一実施形態による湯水混合バルブ装置が組み込まれた湯水混合水栓装置を示す正面断面図である。
【００１７】
図２に示すように、操作ハンドル４が水平方向に回動操作される操作領域Ｒは、湯側操作領域Ｒ１、水側操作領域Ｒ２及び湯水混合操作領域Ｒ３からなる。
湯側操作領域Ｒ１は、操作ハンドル４を湯側（図１及び図２に示す矢印Ｈの方向）に回動操作した操作位置Ｐ１にあるときに、詳細は後述する湯水混合バルブ装置１の可動弁体１０が、詳細は後述する湯水混合バルブ装置１の固定弁体１２の通湯路１２ａのみを開放し、固定弁体１２の通湯路１２ａから可動弁体１０の湯水連通部１０ａへ湯のみを流入させて湯水混合水栓装置２の吐水口６ａから湯のみを吐水させる操作領域である。
【００１８】
また、水側操作領域Ｒ２は、操作ハンドル４を水側（図１及び図２に示す矢印Ｃの方向）に回動操作した操作位置Ｐ２にあるときに、可動弁体１０が固定弁体１２の通水路１２ｂのみを開放して固定弁体１２の通水路１２ｂから可動弁体１０の湯水連通部１０ａへ水のみを流入させて湯水混合水栓装置２の吐水口６ａから水のみを吐水させる操作領域である。
【００１９】
さらに、湯水混合操作領域Ｒ３は、操作ハンドル４を湯水混合水栓装置２の正面側のほぼ中央の操作位置Ｐ３から湯側操作領域Ｒ１に向って湯側（図１及び図２に示す矢印Ｈの方向）に回動操作したときに、湯側操作領域Ｒ１と水側操作領域Ｒ２との間に位置し且つ可動弁体１０が固定弁体１２の通湯路１２ａ及び通水路１２ｂを開放し、固定弁体１２の通湯路１２ａ及び通水路１２ｂのそれぞれから可動弁体１０の湯水連通部１０ａへ湯と水のそれぞれを流入させて混合した湯水を湯水混合水栓装置２の吐水口６ａから吐水させる操作領域である。
【００２０】
なお、本実施形態においては、水側操作領域Ｒ２内の湯水混合操作領域Ｒ３側の領域が、湯水混合水栓装置２の使用頻度が高い正面側の領域に位置しており、操作ハンドル４を正面側のほぼ中央の操作位置Ｐ３、すなわち、湯水混合水栓装置２の正面位置に操作したときにも、湯水混合水栓装置２の吐水口６ａから水のみが吐水されるようになっている。
【００２１】
つぎに、図２〜図９により、本発明の一実施形態による湯水混合バルブ装置の詳細について説明する。
まず、図４は、本発明の一実施形態による湯水混合バルブ装置を示す分解斜視図である。
図４に示すように、本実施形態による湯水混合バルブ装置１は、下方から上方に向って、下側ケーシング部材１４、固定弁体１２、可動弁体１０、網部材１５、可動弁体ガイド部材１６、操作レバー下側保持部材１８、操作レバー部材２０、シール部材２２、上側ケーシング部材２４及び操作レバー上側接続部材２６を備えている。
【００２２】
つぎに、図５は、本発明の一実施形態による湯水混合バルブ装置の下側ケーシング部材及び可動弁体ガイド部材において、操作ハンドル及び操作レバー部材を水側操作領域内の湯水混合操作領域側の操作位置（湯水混合水栓装置の正面位置）に設定して可動弁体を閉弁させた状態を示す平面図である。
また、図６は、本発明の一実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定して可動弁体を閉弁させた状態を示す平面図である。
さらに、図７は、本発明の一実施形態による湯水混合バルブ装置の固定弁体及び可動弁体において、操作ハンドル及び操作レバー部材を水側操作領域内の湯水混合操作領域側の操作位置（湯水混合水栓装置の正面位置）に設定して可動弁体を開弁させた状態を示す平面図である。
また、図８は、本発明の一実施形態による湯水混合バルブ装置の固定弁体及び可動弁体において、操作ハンドル及び操作レバー部材を水側操作領域内の最も水側の操作位置に設定し可動弁体を開弁させた状態を示す平面図である。
さらに、図９は、本発明の一実施形態による湯水混合バルブ装置の固定弁体及び可動弁体において、操作ハンドル及び操作レバー部材を湯側操作領域内の最も湯側の操作位置に設定して可動弁体を開弁させた状態を示す平面図である。
【００２３】
図２〜図７に示すように、下側ケーシング部材１４は、湯水混合水栓装置２の内部に上下方向に延びるように形成されている通湯路２ａ及び通水路２ｂの上端（下流側端部）に接続され、下側ケーシング部材１４の内部には、固定弁体１２が固定されている。
また、固定弁体１２の後側には、可動弁体１０の湯水連通部１０ａ内を通過した湯及び／又は水が通過する湯水混合路１２ｃが形成されている。
さらに、下側ケーシング部材１４内の固定弁体１２の湯水混合路１２ｃの下方且つ下側ケーシング部材１４の後端部１４ａに隣接した部分には、固定弁体１２の湯水混合路１２ｃと連通する下側ケーシング部材１４内の湯水混合路１４ｂが形成されている。
【００２４】
また、図３〜図９に示すように、固定弁体１２に形成されている通湯路１２ａ及び通水路１２ｂのそれぞれは、湯水混合水栓装置２内の通湯路２ａ及び通水路２ｂのそれぞれと接続されている。
さらに、図２〜図９に示すように、固定弁体１２の通湯路１２ａ及び通水路１２ｂが互いに異なる形状に形成され、且つ固定弁体１２の前後方向に延びる下側ケーシング部材１４の中心軸線Ａ２に対して互いに非対称に配置されている。
【００２５】
ここで、本実施形態では、下側ケーシング部材１４の前後方向に延びる中心軸線Ａ２が、固定弁体１２の前後方向に延びる中心軸線とは上下方向に平行であり且つ平面視では一致している形態について説明するが、下側ケーシング部材１４の中心軸線Ａ２については、固定弁体１２の前後方向に延びる中心軸線と互いに完全に一致していてもよいし、互いに平面視で一致していなくてもよい。
また、本実施形態の湯水混合バルブ装置１が通常使用される形態においては、最も使用頻度が高い、使用者が相対する正面位置（操作ハンドル４の操作位置Ｐ３）が前側となり、下側ケーシング部材１４の中心軸線Ａ２は、この使用者が相対する正面位置（前側）から下側ケーシング部材１４の中心Ｏを通って、使用者とは反対側方向（後側）に延びる線となる。
さらに、本実施形態の湯水混合バルブ装置１については、壁面に設置された湯水混合水栓装置に適用してもよく、この場合には、最も使用頻度の高い鉛直方向の下方位置が前側となり、下側ケーシング部材１４の中心軸線Ａ２は、この下方位置（前側）から下側ケーシング１４の中心Ｏを通って鉛直方向上方（後側）に延びる線となる。
【００２６】
また、図５に示すように、下側ケーシング部材１４の内周側の後端部１４ａ且つ固定弁体１２よりも上方部分には、固定弁体１２に対する可動弁体１０の移動をガイドするガイド手段であるガイド用突起２８が下側ケーシング部材１４の後端部１４ａから内方（前方）に突出するように形成されている。このガイド用突起２８は、操作ハンドル４及び操作レバー部材２０を使用頻度の高い湯水混合水栓装置２の正面位置（図２に示す操作位置Ｐ３）以外に設定して可動弁体１０の開閉操作を行った場合に、後述する可動弁体ガイド部材１６のガイド溝３０と嵌合して協働することにより、可動弁体１０が固定弁体１２に対して摺動面１０ｂ内で回転を伴って移動するようになっている。
また、このガイド用突起２８の中心軸線２８ａは、固定弁体１２の前後方向に延びる下側ケーシング部材１４の中心軸線Ａ２の方向に対して、水平面内において同一の方向（前後方向）に設定されている。
【００２７】
さらに、この下側ケーシング部材１４の前後方向に延びる中心軸線Ａ２は、下側ケーシング部材１４の中心Ｏと固定弁体１２の通水路１２ｂの湯側端部１２ｄの近傍を通過している。すなわち、図６〜図９に示すように、固定弁体１２の通水路１２ｂは、その前方領域ｒが下側ケーシング部材１４の中心軸線Ａ２上に位置しており、この通水路１２ｂの前方領域ｒは、中心軸線Ａ２に対して左側領域ｒ１と右側領域ｒ２の二つの領域に亘って形成されている。
【００２８】
また、下側ケーシング部材１４の中心Ｏの上方には、詳細は後述する可動弁体ガイド部材１６の取付穴１６ａに取り付けられている止水状態における操作レバー部材２０の接続部２０ａの中心点が位置している。すなわち、中心軸線Ａ２は、操作レバー部材２０の接続部２０ａの中心点を鉛直方向の中心Ｏに投影させた点と固定弁体１２の通水路１２ｂの湯側端部１２ｄの近傍とを通過している。
【００２９】
つぎに、図３〜図５に示すように、固定弁体１２上には、可動弁体１０が摺動可能且つ回転可能に設けられている。また、この可動弁体１０上には、可動弁体１０の連通開口部１０ａ内を通過する湯水を整流化する網部材１５が取り付けられ、この網部材１５を介して、可動弁体ガイド部材１６が固定され、取付け穴１６ａに接続されている操作レバー部材２０の動きにより可動弁体１０と一体的に移動するようになっている。
また、この可動弁体ガイド部材１６には、可動弁体１０と共に下側ケーシング部材１４内に取り付けられた状態で、下側ケーシング部材１４のガイド用突起２８が挿入されて嵌合可能なガイド手段であるガイド溝３０が形成されている。このガイド溝３０は、操作ハンドル４及び操作レバー部材２０を使用頻度の高い湯水混合水栓装置２の正面位置（図２に示す操作位置Ｐ３）以外に設定して可動弁体１０の開閉操作を行った場合に、下側ケーシング部材１４のガイド用突起２８と嵌合して協働することにより、可動弁体１０は固定弁体１２に対して摺動面１０ｂ内で回転を伴って移動するようになっている。
なお、本実施形態では、一例として、可動弁体１０と可動弁体ガイド部材１６は、互いに別部材となっているが、可動弁体１０と可動弁体ガイド部材１６を互いに一体的に形成し、一部材としてもよい。
【００３０】
さらに、図３〜図５に示すように、可動弁体ガイド部材１６のほぼ中央部には、操作レバー部材２０の下端部にほぼ半球形状に形成された接続部２０ａが挿入して取り付けられる取付穴１６ａを形成し且つ上方に突出する円筒状の突起部１６ｂが設けられている。
操作レバー部材２０の長手方向の中心軸線Ａ３が鉛直方向に延びた湯水混合水栓装置２の中心軸線Ａ１と一致し、操作レバー部材２０が起立した状態では、可動弁体１０が閉弁した状態となり、固定弁体１２の通湯路１２ａ及び通水路１２ｂの双方が閉鎖された状態になるようになっている。
ここで、図３に示すように可動弁体１０の下面は、固定弁体１２の上面に沿って摺動する摺動面１０ｂとなっており、この摺動面１０ｂに対して垂直な面内で操作レバー部材２０を操作することにより、可動弁体１０の開閉動作が可能となっている。
また、図５に示す可動弁体ガイド部材１６においては、操作ハンドル４及び操作レバー部材２０を使用頻度の高い湯水混合水栓装置２の正面位置（図２に示す操作位置Ｐ３）に設定して可動弁体１０の開閉操作を行った場合について、閉弁位置の可動弁体１０に対応する可動弁体ガイド部材１６を実線で示し、開弁位置の可動弁体１０に対応する可動弁体ガイド部材１６を鎖線で示している。
【００３１】
また、この可動弁体１０が閉弁した状態では、操作レバー部材２０をその中心軸線Ａ３回りに回転させると、操作レバー部材２０の接続部２０ａが可動弁体ガイド部材１６の取付穴１６ａに対して空回りするように、可動弁体ガイド部材１６の取付穴１６ａの平面断面Ｓ１（図５参照）が、操作レバー部材２０の接続部２０ａのほぼ半球形状に対応してほぼ円形の断面形状に形成されている。すなわち、可動弁体１０は、閉弁位置Ｐ４にある状態で操作ハンドル４及び操作レバー部材２０を可動弁体１０の摺動面１０ｂに平行な面上の操作領域内で回動操作しても、固定弁体１２に対して摺動面１０ｂ内で回転しないようになっている。
一方、操作レバー部材２０の長手方向の中心軸線Ａ３が、上下方向に延びた湯水混合水栓装置２の中心軸線Ａ１に対して所定方向に傾いた状態では、操作レバー部材２０のほぼ半球形状の接続部２０ａが可動弁体ガイド部材１６の取付穴１６ａを所定の水平方向に押圧し、可動弁体１０が可動弁体ガイド部材１６と共に固定弁体１２に対して移動し、可動弁体１０が開弁した状態となり、固定弁体１２の通湯路１２ａ及び通水路１２ｂの少なくとも一方が開放された状態になるようになっている。
【００３２】
また、図４に示すように、操作レバー部材２０と可動弁体ガイド部材１６との間には、操作レバー保持部材１８が介在して設けられている。
操作レバー保持部材１８の中央部には、操作レバー部材２０の接続部２０ａの上方に矩形状に形成された嵌合部２０ｂが挿入されて嵌合される嵌合長穴１８ａが形成され、操作レバー部材２０による可動弁体１０の開閉操作を行っているときには、操作レバー部材２０の嵌合部２０ｂが嵌合長穴１８ａに沿って移動することができるようになっている。
【００３３】
図４に示すシール部材２２は、操作レバー部材２０の嵌合部２０ｂよりも上方にボール状に形成された操作レバー部材２０のボール部２０ｃと、上側ケーシング部材２４のほぼ中央部に形成された取付穴２４ａとの間に取り付けられ、上側ケーシング部材２４の内部と外部とを液密的にシールするようになっている。
また、図３及び図４に示す操作レバー上側接続部材２６は、操作レバー部材２０の上方に取り付けられて状態で上方から操作ハンドル４の接続部４ａが取り付けられるようになっている。
【００３４】
つぎに、図１〜図４に示すように、操作レバー部材２０を水側操作領域Ｒ２内の湯水混合操作領域Ｒ３側の操作位置Ｐ３に設定して可動弁体１０を閉弁させた状態では、操作レバー部材２０の長手方向の中心軸線Ａ３が、鉛直方向に延びた湯水混合水栓装置２の中心軸線Ａ１と一致し、操作レバー部材２０が起立した状態となっている。
【００３５】
また、図１、図２、図５及び図６に示すように、操作レバー部材２０を水側操作領域Ｒ２内の湯水混合操作領域Ｒ３側の操作位置Ｐ３に設定して可動弁体１０を閉弁させた状態、すなわち、操作ハンドル４及び操作レバー部材２０を使用頻度の高い湯水混合水栓装置２の正面位置（図２に示す操作位置Ｐ３）に設定して可動弁体１０を閉弁させた状態では、可動弁体ガイド部材１６及びその下方の可動弁体１０が下側ケーシング部材１４内において全体的に最も後方側に位置し、可動弁体１０が固定弁体１２の通湯路１２ａ及び通水路１２ｂの双方を閉鎖するようになっている。このとき、下側ケーシング部材１４のガイド用突起２８は、図５に示すように、可動弁体ガイド部材１６のガイド溝３０のほぼ全域に亘って挿入されて嵌合されるようになっている。
【００３６】
つぎに、図１、図２、図５及び図７に示すように、操作レバー部材２０を水側操作領域Ｒ２内の湯水混合操作領域Ｒ３側の操作位置Ｐ３に設定して可動弁体１０を開弁させた状態では、すなわち、操作ハンドル４及び操作レバー部材２０を使用頻度の高い湯水混合水栓装置２の正面位置（図２に示す操作位置Ｐ３）に設定して可動弁体１０を開弁させた状態では、可動弁体ガイド部材１６及びその下方の可動弁体１０は、下側ケーシング部材１４内において全体的に最も前方側に位置し、可動弁体１０が固定弁体１２の通湯路１２ａを閉鎖した状態を維持し、固定弁体１２の通水路１２ｂのみを部分的に開放するようになっている。また、この部分的に開放された固定弁体１２の通水路１２ｂから可動弁体１０の湯水連通部１０ｃを通過した水は、固定弁体１２の湯水混合路１２ｃから下側ケーシング部材１４の湯水混合路１４ｂを流れるようになっている。
【００３７】
また、図５〜図７においては、操作ハンドル４及び操作レバー部材２０を使用頻度の高い湯水混合水栓装置２の正面位置（図２に示す操作位置Ｐ３）に設定して可動弁体１０の開閉操作を行った場合の可動弁体１０の閉弁位置及び開弁位置のそれぞれについて、符号Ｐ４、符号Ｐ５で示している。
図５〜図７に示すように、本実施形態の湯水混合バルブ装置１では、操作ハンドル４及び操作レバー部材２０を使用頻度の高い湯水混合水栓装置２の正面位置（図２に示す操作位置Ｐ３）に設定した状態で、操作ハンドル４及び操作レバー部材２０を上下方向に回動操作して可動弁体１０の摺動面１０ｂに対して垂直な面内で操作し、可動弁体１０を閉弁位置Ｐ４（図５及び図６参照）から開弁位置Ｐ５（図５及び図７参照）へ開閉操作を行った場合、操作レバー部材２０の接続部２０ａが取り付けられている可動弁体ガイド部材１６の取付穴１６ａが前方へ移動する共に、可動弁体ガイド部材１６のガイド溝３０がガイド用突起２８に嵌合されている状態を維持しながら、可動弁体ガイド部材１６が可動弁体１０と共に閉弁位置Ｐ４（図５及び図６参照）から開弁位置Ｐ５（図５及び図７参照）に向って、可動弁体１０が摺動面１０ｂ内で回転することなく前方へ直進して移動するようになっている。
【００３８】
また、図５に示すように、開弁位置Ｐ５の可動弁体ガイド部材１６のガイド溝３０は、ガイド用突起２８との嵌合から外れた状態となり、この状態では、図７に示すように、固定弁体１２の通水路１２ｂのみが可動弁体１０により開放されており、操作ハンドル４及び操作レバー部材２０を使用頻度の高い湯水混合水栓装置２の正面位置（図２に示す操作位置Ｐ３）に設定した状態でスパウト６の吐水口６ａから水のみが吐水されるようになっている。
【００３９】
さらに、図５及び図７に示すように、開弁位置Ｐ５の可動弁体ガイド部材１１６のガイド溝３０ガイド用突起２８との嵌合から外れた状態では、図２に示す操作ハンドル４を湯側の操作位置Ｐ１側や水側の操作位置Ｐ２側へさらなる回動操作を行うことにより可動弁体１０が固定弁体１２の上面に沿って回転摺動が可能となっている。したがって、操作ハンドル４を使用頻度が高い正面側のほぼ中央の操作位置Ｐ３に設定した状態でスパウト６の吐水口６ａから水のみが吐水される状態で、可動弁体１０をさらなる水側の開弁位置Ｐ６（図８参照）に設定を切り替え、スパウト６の吐水口６ａから吐水する水の流量を増加させたり、可動弁体１０をさらなる湯側の開弁位置Ｐ７（図９参照）に設定を切り替え、スパウト６の吐水口６ａから吐水する湯の流量を増加させたりすることができるようになっている。
【００４０】
また、図１、図２、図４及び図８に示すように、操作レバー部材２０を水側操作領域Ｒ２内の最も水側の操作位置Ｐ２に設定して可動弁体１０を開弁させた状態では、可動弁体ガイド部材１６及びその下方の可動弁体１０は、下側ケーシング部材１４内において全体的に図８の右斜め前方側の開弁位置Ｐ６に位置し、可動弁体１０が固定弁体１２の通湯路１２ａを閉鎖した状態を維持し、固定弁体１２の通水路１２ｂのみを部分的に開放するようになっている。また、この部分的に開放された固定弁体１２の通水路１２ｂから可動弁体１０の湯水連通部１０ｃを通過した水は、固定弁体１２の湯水混合路１２ｃから下側ケーシング部材１４の湯水混合路１４ｂを流れるようになっている。
【００４１】
つぎに、図１、図２、図４及び図９に示すように、操作レバー部材２０を湯側操作領域Ｒ２内の最も湯側の操作位置Ｐ１に設定して可動弁体１０を開弁させた状態では、可動弁体ガイド部材１６及びその下方の可動弁体１０は、下側ケーシング部材１４内において全体的に図９の正面側から見て左斜め前方側の開弁位置Ｐ７に位置し、可動弁体１０が固定弁体１２の通水路１２ｂを閉鎖した状態を維持し、固定弁体１２の通湯路１２ａのみを部分的に開放するようになっている。また、この部分的に開放された固定弁体１２の通湯路１２ａから可動弁体１０の湯水連通部１０ｃを通過した湯は、固定弁体１２の湯水混合路１２ｃから下側ケーシング部材１４の湯水混合路１４ｂを流れるようになっている。
【００４２】
つぎに、上述した本発明の一実施形態による湯水混合バルブ装置１の動作（作用）について説明する。
湯水混合水栓装置２を使用する際、図１及び図２に示すように、湯水混合水栓装置２の操作ハンドル４をその中心軸線Ａ１回りに回転操作し、使用頻度が高い湯水混合水栓装置２の正面側のほぼ中央の操作位置Ｐ３に設定し、操作ハンドル４を矢印「開」の方向に操作した場合には、図５〜図７に示すように、湯水混合バルブ装置１の操作レバー部材２０の操作により、操作レバー部材２０の接続部２０ａが取り付けられている可動弁体ガイド部材１６の取付穴１６ａが前方へ移動する共に、可動弁体ガイド部材１６のガイド溝３０がガイド用突起２８に嵌合されている状態を維持しながら、可動弁体ガイド部材１６が可動弁体１０と共に閉弁位置Ｐ４（図５及び図６参照）から開弁位置Ｐ５（図５及び図７参照）に向って、可動弁体１０が摺動面１０ｂ内で回転することなく前方へ直進して移動し、固定弁体１２の通湯路１２ａを閉鎖した状態を維持しながら、固定弁体１２の通水路１２ｂのみを開放する。そして、固定弁体１２の通水路１２ｂから可動弁体１０の湯水連通部１０ａを通過した水は、固定弁体１２の湯水混合路１２ｃを経て、湯水混合水栓装置２のスパウト６の吐水口６ａから吐水される。
すなわち、操作ハンドル４及び操作レバー部材２０を使用頻度の高い湯水混合水栓装置２の正面位置（図２に示す操作位置Ｐ３）に設定した状態で、操作ハンドル４及び操作レバー部材２０を上下方向に回動操作して可動弁体１０の摺動面１０ｂに対して垂直な面内で操作し、可動弁体１０を閉弁位置Ｐ４（図５及び図６参照）から開弁位置Ｐ５（図５及び図７参照）へ開閉操作を行った場合には、湯水混合水栓装置２のスパウト６の吐水口６ａから水のみが吐水される。
【００４３】
また、図５に示す開弁位置Ｐ５の可動弁体ガイド部材１６のガイド溝３０がガイド用突起２８との嵌合から外れた状態で、操作ハンドル４を水側（図１及び図２に示す矢印Ｃの方向）に回動操作して操作位置Ｐ２に設定し、操作ハンドル４を矢印「開」の方向に操作した場合には、図８に示すように、湯水混合バルブ装置１の操作レバー部材２０の操作により可動弁体ガイド部材１６の取付穴１６ａが通水路１２ｂ側へ移動し、可動弁体ガイド部材１６及び可動弁体１０が固定弁体１２に対して水側へ摺動する。そして、可動弁体１０は、固定弁体１２の通湯路１２ａを閉鎖した状態を維持しながら、固定弁体１２の通水路１２ｂのみを開放する。そして、固定弁体１２の通水路１２ｂから可動弁体１０の湯水連通部１０ａを通過した水が、固定弁体１２の湯水混合路１２ｃを経て、湯水混合水栓装置２のスパウト６の吐水口６ａから吐水される。
【００４４】
さらに、図５に示す開弁位置Ｐ５の可動弁体ガイド部材１６のガイド溝３０がガイド用突起２８との嵌合から外れた状態で、操作ハンドル４を湯側（図１及び図２に示す矢印Ｈの方向）に回動操作して操作位置Ｐ１に設定し、操作ハンドル４を矢印「開」の方向に操作した場合には、図９に示すように、湯水混合バルブ装置１の操作レバー部材２０の操作により可動弁体ガイド部材１６の取付穴１６ａが通湯路１２ａ側へ移動し、可動弁体１０が固定弁体１２に対して湯側へ摺動する。そして、可動弁体１０は、固定弁体１２の通水路１２ｂを閉鎖した状態を維持しながら、固定弁体１２の通湯路１２ａのみを開放する。そして、固定弁体１２の通湯路１２ａから可動弁体１０の湯水連通部１０ａを通過した湯が、固定弁体１２の湯水混合路１２ｃを経て、湯水混合水栓装置２のスパウト６の吐水口６ａから吐水される。
【００４５】
また、操作ハンドル４を湯側（図１及び図２に示す矢印Ｈの方向）に回動操作して操作位置Ｐ１と操作位置Ｐ３との間の湯水混合操作領域Ｒ３の操作位置に設定し、操作ハンドル４を矢印「開」の方向に操作した場合には、湯水混合バルブ装置１の操作レバー部材２０の操作により、可動弁体１０が固定弁体１２に対して湯側へ摺動し、固定弁体１２の通湯路１２ａ及び通水路１２ｂの双方を開放する。そして、固定弁体１２の通湯路１２ａ及び通水路１２ｂのそれぞれから流出して可動弁体１０の湯水連通部１０ａで混合された湯水が、固定弁体１２の湯水混合路１２ｃを経て、湯水混合水栓装置２のスパウト６の吐水口６ａから吐水される。
【００４６】
上述した本発明の一実施形態による湯水混合バルブ装置１によれば、可動弁体１０が閉弁位置Ｐ４にある状態では、操作ハンドル４及び操作レバー部材２０を可動弁体１０の摺動面１０ｂに平行な面上の操作領域内で回動操作しても、可動弁体１０が固定弁体１２に対して摺動面１０ｂ内で回転しないため、固定弁体１２の通湯路１２ａ及び通水路１２ｂの周囲をシールする必要がある領域を小さくすることができ、固定弁体１２の通湯路１２ａ及び通水路１２ｂを下側ケーシング１４内に大きく設けることができる。したがって、湯水混合バルブ装置１の全体を小型化したとしても、吐水流量をより大きく確保することができる。
また、操作ハンドル４及び操作レバー部材２０を使用頻度が高い湯水混合水栓装置２の正面位置（図２に示す操作位置Ｐ３）で可動弁体１０の開閉操作を行った場合には、可動弁体１０が下側ケーシング１４の前後方向に延びる中心軸線Ａ２上に沿って閉弁位置Ｐ４と開弁位置Ｐ５との間を摺動面１０ｂ内で回転することなく移動することができるため、可動弁体１０の取付穴１６ａ取り付けられた操作レバー部材２０の接続部２０ａや下側ケーシング１４について、可動弁体１０の回転によって応力が与えられることにより耐久性が低下することを防ぐことができる。すなわち、操作ハンドル４及び操作レバー部材２０を使用頻度が高い湯水混合水栓装置２の正面位置（図２に示す操作位置Ｐ３）で可動弁体１０の開閉操作を繰り返して行ったとしても、可動弁体１０の回転によって操作部やケーシングに応力が繰り返し与えられて耐久性が低下することを防ぐことができる。
【００４７】
また、本実施形態による湯水混合バルブ装置１によれば、固定弁体１２の通水路１２ｂの前方領域ｒが下側ケーシング部材１４の中心軸線Ａ２上に位置しており、この通水路１２ｂの前方領域ｒは、中心軸線Ａ２に対して左側領域ｒ１と右側領域ｒ２の二つの領域に亘って形成されているため、操作ハンドル４及び操作レバー部材２０を使用頻度が高い湯水混合水栓装置２の正面位置（図２に示す操作位置Ｐ３）で可動弁体１０の開閉操作を行うことにより、固定弁体１２の通水路１２ｂのみを開放し、湯水混合水栓装置２のスパウト６の吐水口６ａから簡単に水のみを吐水することができる。
【００４８】
さらに、本実施形態による湯水混合バルブ装置１によれば、ガイド用突起２８の中心軸線２８ａは、固定弁体１２の前後方向に延びる下側ケーシング部材１４の中心軸線Ａ２の方向に対して、水平面内において同一の方向（前後方向）に設定されているため、操作ハンドル４及び操作レバー部材２０を使用頻度が高い湯水混合水栓装置２の正面位置（図２に示す操作位置Ｐ３）で可動弁体１０の開閉操作を行った場合には、可動弁体１０が下側ケーシング１４の前後方向に延びる中心軸線Ａ２上に沿って閉弁位置Ｐ４と開弁位置Ｐ５との間を摺動面１０ｂ内で回転することなく移動させて開閉させることができる。したがって、操作ハンドル４及び操作レバー部材２０を使用頻度が高い湯水混合水栓装置２の正面位置（図２に示す操作位置Ｐ３）で可動弁体１０の開閉操作を繰り返して行ったとしても、可動弁体１０の回転によって操作部やケーシングに応力が繰り返し与えられて耐久性が低下することを防ぐことができる。
【００４９】
また、本実施形態による湯水混合バルブ装置１によれば、操作ハンドル４及び操作レバー部材２０を使用頻度の高い湯水混合水栓装置２の正面位置（図２に示す操作位置Ｐ３）以外に設定して可動弁体１０の開閉操作を行った場合に、下側ケーシング部材１４のガイド用突起２８と可動弁体ガイド部材１６のガイド溝３０による簡単な構成により、互いが嵌合して協働し、可動弁体１０は固定弁体１２に対して摺動面１０ｂ内で回転を伴って移動するように、可動弁体１０の移動をガイドすることができる。
【００５０】
さらに、本実施形態による湯水混合バルブ装置１によれば、ほぼ半球形状に形成された操作レバー部材２０の一端部である接続部２０ａと、この接続部２０ａが挿入して取り付けられ、可動弁体ガイド部材１６のほぼ円形の断面形状に形成された取付穴１６ａの平面断面Ｓ１とにより、可動弁体１０が閉弁位置Ｐ４にある状態で、操作ハンドル４及び操作レバー部材２０をその中心軸線Ａ３回りに回転させても、操作レバー部材２０の接続部２０ａが可動弁体ガイド部材１６の取付穴１６ａに対して空回りするため、可動弁体１０が回転しない。したがって、可動弁体１０が閉弁位置Ｐ４にある状態で操作ハンドル４及び操作レバー部材２０を可動弁体１０の摺動面１０ｂに平行な面上の操作領域内で回動操作しても、可動弁体１０が固定弁体１２に対して摺動面１０ｂ内で回転しない構造を容易に実現することができる。
【符号の説明】
【００５１】
１    湯水混合バルブ装置
２    湯水混合水栓装置
２ａ  通湯路
２ｂ  通水路
４    操作ハンドル
４ａ  操作ハンドルの接続部
６    スパウト
６ａ  吐水口
８    カウンター
１０    可動弁体
１０ａ  湯水連通部
１０ｂ  可動弁体の摺動面
１２    固定弁体
１２ａ  通湯路
１２ｂ  通水路
１２ｃ  湯水混合路
１２ｄ  通水路の湯側端部
１４    下側ケーシング部材（ケーシング）
１４ａ  後端部
１４ｂ  湯水混合路
１５    網部材
１６    可動弁体ガイド部材（ガイド手段、バルブガイド部）
１６ａ  取付穴（取付部）
１６ｂ  突起部
１８    操作レバー保持部材
１８ａ  嵌合長穴
１８ｂ  ガイド用の長穴
２０    操作レバー部材（操作部）
２０ａ  接続部（操作部の一端部）
２０ｂ  嵌合部
２０ｃ  ボール部
２０ｄ  取付部
２０ｅ  前面
２２    シール部材
２４    上側ケーシング部材
２４ａ  取付穴
２６    操作レバー上側接続部材（操作部）
２６ａ  前面
２８    ガイド用突起（ガイド手段、突起部）
２８ａ  ガイド用突起の中心軸線
３０    ガイド溝（ガイド手段）
Ａ２      下側ケーシング部材の前後方向に延びる中心軸線（ケーシングの中心軸線）
【図１】
2014177837.tif 000003
【図２】
2014177837.tif 000004
【図３】
2014177837.tif 000005
【図４】
2014177837.tif 000006
【図５】
2014177837.tif 000007
【図６】
2014177837.tif 000008
【図７】
2014177837.tif 000009
【図８】
2014177837.tif 000010
【図９】
2014177837.tif 000011